(57)【要約】  【課題】床面に近い位置で横方向に噴射し得る全量噴射式エアゾール装置を提供する。  【解決手段】噴射ボタンが、殺虫剤が噴射剤と共に充填されたエアゾール容器１に、その頭部から突出するバルブステム３に嵌着する噴射ボタン本体２０と、マウンティングカップ２の外周に下端で凹凸係合して噴射ボタン本体２０の周囲を包囲するカバー体１０とを備える。このカバー体には、エアゾール容器１の外周面に沿ってその底面に向けて下降する長尺ノズル１５が一体に形成されている。その下端部に横向きの噴射口１７が形成されている。噴射ボタン本体２０が、バルブステム３を下方へ駆動する押下げ操作位置にカバー体１０で拘束されることにより、内容物が全量噴射される。  【選択図】図１
2006035065.tif 000002
【特許請求の範囲】
【請求項１】
エアゾール容器の頭部から突出するバルブステムに基端部で嵌着する噴射ボタンが、バルブステムを下方へ駆動する押下げ操作位置に拘束されることにより、内容物を全量噴射するようになった全量噴射式エアゾール装置において、
噴射ボタンに連通すると共にエアゾール容器の外周面に沿ってその底面に向けて下降する長尺ノズルを備え、その下端部に横向きの噴射口が形成されていることを特徴とする全量噴射式エアゾール装置。
【請求項２】
噴射ボタンが、エアゾール容器の頭部に装着されたマウンティングカップから突出するバルブステムに基端部で嵌着し、かつ押下げ操作される噴射ボタン本体と、マウンティングカップに装着されて噴射ボタンの周囲を囲むカバー体とにより構成され、
このカバー体に長尺ノズルが一体に形成されると共に、この長尺ノズルの基端部が噴射ボタンと可撓性パイプを介して連結されたことを特徴とする請求項１記載の全量噴射式エアゾール装置。
【請求項３】
エアゾール容器の頭部から突出するバルブステムに基端部で嵌着する噴射ボタンが、バルブステムを下方へ駆動する押下げ操作位置に拘束されることにより、内容物を全量噴射するようになった全量噴射式エアゾール装置において、
噴射ボタンの周面部に横向きに噴射する噴射口が設けられると共に、エアゾール容器の底面から頭部までの高さが、断面円形のエアゾール容器の直径寸法よりも低く設定されていることを特徴とする請求項１記載の全量噴射式エアゾール装置。
【請求項４】
噴射ボタンが、エアゾール容器の頭部に装着されたマウンティングカップから突出するバルブステムに基端部で嵌着し、かつ先端を噴射口とするノズルが横向きに突設された噴射ボタン本体と、前記マウンティングカップの外周に装着された筒状のカバー体とを備えると共に、ノズルが、前記カバー体の上端部にインテグラルヒンジ部を介して連結され、
前記カバー体の前記ノズルに対して反対側の内周面に、前記噴射ボタン本体の外周面を拘束するロック部が形成され、
前記ノズルが、前記噴射ボタン本体が後倒して押下げ操作位置に前記ロック部により拘束された状態で略水平方向を向くように、通常状態で下向きに傾斜していることを特徴とする請求項３記載の全量噴射式エアゾール装置。
【請求項５】
噴射ボタン本体に、ロック部よりも背後へ延びるレバーが装着されていることを特徴とする請求項４記載の全量噴射式エアゾール装置。
【請求項６】
噴射口が、横向きの噴射角を広角にするように、間隔を置いて複数個設けられたことを特徴とする請求項１乃至請求項５のいずれか記載の全量噴射式エアゾール装置。
【発明の詳細な説明】
【技術分野】
【０００１】
本発明は、エアゾール容器の頭部から突出するバルブステムに基端部で嵌着する噴射ボタンが、バルブステムを下方へ駆動する押下げ操作位置に拘束されることにより、内容物を全量噴射するようになった全量噴射式エアゾール装置に関するものである。
【背景技術】
【０００２】
密閉した室内にセットして殺虫剤等を上方に向けて全量噴射させるエアゾール装置は周知であり、その際特許文献１によれば操作後の一定時間経過後に噴射を開始させ得る殺虫剤容器が提案され、特許文献２によれば１個の噴射口で中心線に対して両側９０°程度の広範囲に均一に拡散させようとするエアゾール装置が提案されている。また、一般的に噴射口を複数個に設けて噴射範囲を広角に設定しようとする液体噴霧用ノズルは、特許文献３等により周知となっている。
【特許文献１】特開平９−１５０８７５号公報
【特許文献２】特開平１１−１９７５６１号公報
【特許文献３】特開２０００−３２５８３４号公報
【発明の開示】
【発明が解決しようとする課題】
【０００３】
この種の従来のエアゾール装置は上方への全量噴射を前提にしているが、ダニ、ノミに対する殺虫剤の全量噴射は相対的に床面に対して高濃度で噴射した方が好ましいと云える。また、上方噴射式の場合、密閉したある程度広い室内の全域に薬剤を充満させるには、室の中央部にセットするのが前提になる。
【０００４】
本発明は、このような点に鑑みて、床面に近い位置で横方向に噴射し得る全量噴射式エアゾール装置を提供することを目的とする。
【課題を解決するための手段】
【０００５】
本発明は、この目的を達成するために、エアゾール容器の頭部から突出するバルブステムに基端部で嵌着する噴射ボタンが、バルブステムを下方へ駆動する押下げ操作位置に拘束されることにより、内容物を全量噴射するようになった全量噴射式エアゾール装置において、請求項１により、噴射ボタンに連通すると共にエアゾール容器の外周面に沿ってその底面に向けて下降する長尺ノズルを備え、その下端部に横向きの噴射口が形成されているか、或は請求項３により、噴射ボタンの周面部に前方へ噴射する噴射口が設けられると共に、エアゾール容器の底面から頭部までの高さが、断面円形のエアゾール容器の直径寸法よりも低く設定されていることを特徴とする。
【０００６】
請求項１による全量噴射式エアゾール装置において、長尺ノズルが押下げ操作時に揺動しないようにするには、請求項２により、噴射ボタンが、エアゾール容器の頭部に装着されたマウンティングカップから突出するバルブステムに基端部で嵌着し、かつ押下げ操作される噴射ボタン本体と、マウンティングカップに装着されて噴射ボタンの周囲を囲むカバー体とにより構成され、このカバー体に長尺ノズルが一体に形成されると共に、この長尺ノズルの基端部が噴射ボタンと可撓性パイプを介して連結される。
【０００７】
噴射ボタンの押下げ操作時に噴射口の移動に拘らず水平横向きの噴射を確保するには、請求項４により、噴射ボタンが、エアゾール容器の頭部に装着されたマウンティングカップから突出するバルブステムに基端部で嵌着し、かつ先端を噴射口とするノズルが横向きに突設された噴射ボタン本体と、マウンティングカップの外周に装着された筒状のカバー体とを備えると共に、ノズルが、カバー体の上端部にインテグラルヒンジ部を介して連結され、カバー体のノズルに対して反対側の内周面に、噴射ボタン本体の外周面を拘束するロック部が形成され、ノズルが、噴射ボタン本体が後倒して押下げ操作位置にロック部により拘束された状態で略水平方向を向くように、通常状態で下向きに傾斜している。
【０００８】
噴射ボタン本体を後倒状態で押下げ操作するのを容易にするには、請求項５により、噴射ボタン本体に、ロック部よりも背後へ延びるレバーが装着され、また水平面で広角に噴射させるには、請求項６により、噴射口が、横向きの噴射角を広角にするように、間隔を置いて複数個設けられる。
【発明の効果】
【０００９】
請求項１の発明によれば、長尺ノズルにより床面に近い位置で横向きに噴射され、床面のダニ、ノミ等に対して相対的に高濃度で噴射できるようになる。上向き噴射に較べて遠方へ噴射できるようになり、部屋の隅にセットしても床面に広く有効に噴射できる。その際、請求項２の発明によれば、長尺ノズルがマウンティングカップに装着されるカバー体に一体に形成されることにより、押下げ操作に連動することなく噴射方向が安定化される。カバー体への一体化により見栄えも良くなる。
【００１０】
請求項３の発明によれば、平型容器の頭部近辺から横向きに噴射されることにより、床面に近い位置で床面に沿った噴射が可能になる。部屋の隅にセットしても床面に広く有効に噴射できる。その際、請求項４によれば、横向きのノズルが、噴射ボタンの後倒状態での押下げ操作時に略水平方向を向くために、後倒に伴って斜め上向きに噴射されるのが回避され、したがって床面に沿った方向の噴射が確保される。
【００１１】
請求項５の発明によれば、後倒状態で押下げ操作される噴射ボタンにレバーが装着されることによりロック操作がし易くなり、押下げ操作直後に室外へ速やかに出ることができる。請求項６の発明によれば、長尺ノズル或は噴射ボタン周面の噴射口が分散配列されることにより横向きの広角噴射が可能となり、両側へ広く拡散することにより入口近辺にセットしても速やかに室外へ出ることができる。
【発明を実施するための最良の形態】
【００１２】
図１乃至図３を基に本発明の実施の形態による全量噴射式エアゾール装置を説明する。この全量噴射式エアゾール装置は、殺虫剤が噴射剤と共に充填されたエアゾール容器１に、その頭部から突出するバルブステム３に嵌着する噴射ボタン本体２０と、マウンティングカップ２の外周に下端で凹凸係合して噴射ボタン本体２０の周囲を包囲するカバー体１０とを備えた噴射ボタンを取付けて構成される。マウンティングカップ２、即ち容器頭部の高さは、断面円形の直径寸法よりも低く設定されている。
【００１３】
噴射ボタン本体２０は、上面部２２の周囲に周面部２１が形成されたボタン状の合成樹脂製であり、その裏面に、エアゾール容器１の頭部に装着されたマウンティングカップ２の内部に設けられた弁機構から上方付勢状態で突出するバルブステム３に基端部で嵌着する中心流路部２３が突設されると共に、この中心流路部に、肉薄により可撓性を呈する横向きのパイプ部２４が一体成形により突設されている。周面部２１の前方領域は、パイプ部２４を回避するように幅狭になっている。
【００１４】
カバー体１０は、噴射ボタン本体２０を囲んで上方を開放する開口部１３を有する上面部１２と、さらに背後に延長された曲面状背面部１４と、マウンティングカップ２の外周に下端で凹凸係合して装着される筒部１１と、その後方領域の側方をカバーする側面部１８と、上面部１２に沿って筒部１１の前方領域の上方から前方へ逆Ｌ字形に延びる扁平状の長尺ノズル１５とで合成樹脂により一体に形成されている。
【００１５】
この長尺ノズルは、エアゾール容器１の上面から外周面に沿ってその底面近辺まで延びるように、水平方向から垂直下方へ逆Ｌ字形に曲げられたＬ形ノズル１５ａに、チップノズル１５ｂを嵌入連結させて構成されている。Ｌ形ノズル１５ａの基端部分の嵌合溝１５ｄには、流路１５ｃに連通するように、パイプ部２４がシール状態で嵌入されている。チップノズル１５ｂの先端部１６は前方へ向けて水平方向へ曲げられると共に、上下方向の流路１５ｃに連通する分岐流路１６ａがＴ形に形成され、中間位置及び両端でそれぞれ水平方向にさらに分岐前進して３個の噴射口１７を形成している。
【００１６】
噴射ボタン本体２０の長尺ノズル１５と反対側の周面部２１の外周下端部には対状の突起２６が突設され、カバー体１０の筒部１１の上端部にはこれらの突起２６を係止する係止爪１９が形成され、これらの凹凸係合により噴射ボタン本体２０を下降位置に拘束するロック部を形成している。  
【００１７】
使用に際してはエアゾール容器１を密閉された部屋の隅の床面にセットし、足又は手で噴射ボタン本体２０を押下げ操作すると、パイプ部２４が僅かに撓んで、図３に示すように、バルブステム３が押下げ駆動されて突起２６が係止爪１９に係止されて押下げ位置にロックされる。これにより、エアゾール状の殺虫剤が流路１５ｃを経由して３個所の噴射口１７から水平方向へ広角に全量噴射され、スパウトのような上向き噴射に較べて遠方へ噴射でき、部屋の両側の側壁でも反射しつつ前方へ拡散する。したがって、床面に沿って相対的に高濃度で噴射されてダニ、ノミ等に有効に作用すると共に、床全域からさらに天井に向けて拡散し、隅の入口近辺にセットして速やかに室外へ出ても床全域から天井に向けて有効に殺虫剤を充満させることができる。
【００１８】
図４は別の実施の形態による長尺ノズルを備えた全量噴射式エアゾール装置を示すもので、基本構成は前述のエアゾール装置と共通であるが、噴射ボタン本体２０Ａは、押下げ操作をし易くするように後方領域の面積が広げられ、カバー体１０Ａに一体に形成された扁平状の長尺ノズル１５Ａはエアゾール容器１の上面及び外周面に沿って曲面状に下方に向けて曲げられると共に、可撓性のパイプ部２４に連通する流路１５Ｃは、途中で分岐流路１６Ａで三方へ分岐してそれぞれの先端部が前方に向けてＬ字形に曲げられて水平横向きの噴射口１７Ａを形成している。同様に、噴射ボタン本体２０Ａが押下げ位置に後倒状態でロックされることにより、不動の長尺ノズル１５Ａから例えば１２０°の広角に全量噴射が行われる。長尺ノズル１５Ａは、噴射ボタン本体２０Ａを囲んでエアゾール容器１の上面及び外周面に沿って扁平状にわん曲して形成されることにより、特異な意匠を呈する。
【００１９】
図５及び図６は第３の実施の形態による全量噴射式エアゾール装置を示すもので、殺虫剤、消毒剤等の内容物が噴射剤と共に充填されたエアゾール容器１ａに、その頭部から突出するバルブステム３に嵌着する噴射ボタン本体３０と、マウンティングカップ２の外周を包囲するように、その外周に装着された階段状周面で形成された筒状のカバー体３１とを備えた噴射ボタンが取付られると共に、噴射ボタン本体３０にレバー４０を装着して構成されている。容器底面からマウンティングカップ２までの高さは、断面円形のエアゾール容器１ａの直径寸法よりも低く設定され、平型の容器になっている。
【００２０】
噴射ボタン本体３０は、基端部でバルブステム３に嵌着する中心流路部３３の上端の出口から３方の放射方向に分岐し、かつそれぞれ斜め下向きに傾斜した流路３４ａを有する半円状のノズル３４と、残りの後方半分領域に形成された半円状の周面部３８とを備えると共に、これらの直径はスリット３９ａを形成するようにカバー体３１の内径よりも小さく設定され、さらにノズル３４の前方中央領域は、カバー体３１の前方上端部にインテグラルヒンジ部３９で上下に揺動可能に連結されている。この周面部の反ノズル側には突起３６が形成され、対応位置のカバー体３１の上端周辺部にはスリット３９ａを横断する係止爪３７が形成され、噴射ボタン本体３０を押下げ位置に拘束するロック部を形成している。
【００２１】
レバー４０は、噴射ボタン本体３０の上面をカバーし、かつ面積を広げて背後へ突出する形状に形成された上面部４１及び側方をカバーする側面部４２を備え、上面部４１の裏面に形成された円弧状の係合片４５が周面部３８の内側に係合することにより噴射ボタン本体３０に装着されている。
【００２２】
レバー４０の後方領域を押下げ操作すると、噴射ボタン本体３０はインテグラルヒンジ部３９を支点として揺動してバルブステム３を押下げ駆動すると共に、ノズル３４が下向き位置から略水平に揺動し、３個の流路３４ａの先端の分散配列された噴射口３５から広角に内容物が床面に沿って噴射される。
【００２３】
図７乃至図９は第４の実施の形態による全量噴射式エアゾール装置を示すもので、殺虫剤、消毒剤等が噴射剤と共に充填された高さが容器直径寸法よりも低い平型のエアゾール容器１ａに、その頭部から突出するバルブステム３に嵌着する噴射ボタン本体５０と、マウンティングカップ２を包囲するように、その外周に装着された筒状のカバー体５１とを備えた噴射ボタンが取付られると共に、噴射ボタン本体５０にレバー６０を装着して構成されている。
【００２４】
噴射ボタン本体５０は、基端部でバルブステム３に嵌着する中心流路部５３の上端から３本に分岐し、かつそれぞれ斜め下向き傾斜した流路５４ａを形成するように、半円状の途中から方形に突出する扁平状のノズル５４と、その残りの後方領域の半円状上面部５２及びその周面部５８とを備えている。噴射ボタン本体５０はスリット５９ａを介してカバー体５１のフランジ状上端部で包囲されると共に、ノズル５４の前後方向に途中の中心流路部５３に対向する領域は、スリット５９ａ内へ突出するインテグラルヒンジ部５９でカバー体５１の前方上端部に上下に揺動可能に連結されている。周面部５８の反ノズル側には突起５６が形成され、対応位置のカバー体５１の上端周辺部には、スリット５９ａを解消する形状に係止爪５７が形成されている。
【００２５】
レバー６０は、噴射ボタン本体５０の上面をカバーし、かつ面積を広げて後方へ突出する形状に形成された上面部６１と、噴射ボタン本体５０及びエアゾール容器１ａの背後をカバーする背面部６２と、噴射ボタン本体５０の後側半分側方をカバーする側面部６３とを備えるプレート状に形成されている。このプレート状レバーは、上面部６１に形成された円弧状の係入爪６５が係入穴５８ａに係入されることにより噴射ボタン本体５０に装着される。
【００２６】
レバー６０の後方領域を足又は手で押下げ操作すると、噴射ボタン本体５０はインテグラルヒンジ部５９を支点として揺動してバルブステム３を押下げ駆動する位置に拘束されると共に、ノズル５４が略水平位置へ揺動し、広角に分散配列された３個の噴射口５５から床面に近い位置で床面に沿って噴射される。プレート状レバー６０は、噴射ボタンをカバーすると共に後方へ延びて操作をし易くし、背後をカバーするように底面に向けて延びる特異な意匠を構成している。
【００２７】
さらに、別の実施の形態として、図１に説明した逆Ｌ字形長尺ノズルは、図５に説明した上面が平坦な容器に設けることも当然可能であり、その際噴射ボタン本体との連結構造或はロック部の構成は種々考えられ、噴射口の個数は１個にすることもでき、逆に充分な広角が容易に得られるように４個以上にすることもできる。
【図面の簡単な説明】
【００２８】
【図１】本発明の実施の形態による全量噴射式エアゾール装置の断面図である。
【図２】同全量噴射式エアゾール装置の細部を示すもので、同図Ａはカバー体の平面図、同図Ｂはその長尺ノズルの下端部分の正面図である。
【図３】同全量噴射式エアゾール装置の全量噴射時の断面図である。
【図４】第２の実施の形態による全量噴射式エアゾール装置の斜視図である。
【図５】第３の実施の形態による全量噴射式エアゾール装置の断面図である。
【図６】図５による全量噴射式エアゾール装置の細部を示すもので、同図Ａは噴射ボタンの平面図、同図Ｂはその噴射ボタンの正面図である。
【図７】第４の実施の形態による全量噴射式エアゾール装置の斜視図である。
【図８】図７による全量噴射式エアゾール装置の断面図である。
【図９】図７による全量噴射式エアゾール装置の噴射ボタンの平面図である。
【符号の説明】
【００２９】
１，１ａ  エアゾール容器
２  マウンティングカップ
３  バルブステム
１０，１０Ａ，３１，５１  カバー体
１５，１５Ａ  長尺ノズル
１７，１７Ａ，３５，５５  噴射口
１９，３７，５７  係止爪
２０，２０Ａ，３０，５０  噴射ボタン本体
２４  可撓性のパイプ部
２６，３６，５６  突起
３４，５４  ノズル
３９，５９  インテグラルヒンジ部
４０，６０  レバー
【図１】
2006035065.tif 000003
【図２】
2006035065.tif 000004
【図３】
2006035065.tif 000005
【図４】
2006035065.tif 000006
【図５】
2006035065.tif 000007
【図６】
2006035065.tif 000008
【図７】
2006035065.tif 000009
【図８】
2006035065.tif 000010
【図９】
2006035065.tif 000011